(57)【要約】【課題】電話帳に登録されていない通話相手との通話履歴を、通話から時間が経っていても特定できる様にする。【解決手段】相手方通話装置と通信を行う通信処理部と、通話装置を識別する識別情報の登録された電話帳データを格納する電話帳格納部と、相手方通話装置との通話を録音する録音処理部と、通信の履歴データを格納する履歴格納部と、全体の動作を制御する制御部と、を具備し、前記制御部は、前記通信処理部を介して相手方通話装置と通信を行う際に、前記相手方通話装置の識別情報を取得し、前記電話帳データを参照して、取得した前記相手方通話装置の識別情報が前記電話帳データに登録されているかどうかを確認し、前記相手方電話装置の識別情報が前記電話帳データに登録されていなかった場合に、前記録音処理部により通話内容を録音して録音データを生成し、前記相手方通話装置の識別情報と前記録音データとを対応付けて、前記履歴データとして前記履歴格納部に格納する。【選択図】図１
2008252742.tif 000002
【特許請求の範囲】
【請求項１】
相手方通話装置と通信を行う電話装置であって
電話帳データを格納する電話帳格納部と、
前記相手方通話装置との通話を録音する録音処理部と、
履歴データを格納する履歴格納部と、
制御部と、
を具備し、
前記電話帳データには、通話装置を識別する識別情報を含むデータが登録されており、
前記制御部は、前記相手方通話装置と通信を行うに際し、
前記相手方通話装置の識別情報を取得し、
前記電話帳格納部にアクセスして、取得した識別情報が前記電話帳データに登録されているかどうかを確認し、
取得した識別情報が前記電話帳データに登録されていなかった場合に、前記録音処理部により通話内容を録音し、
前記相手方通話装置の識別情報と録音された録音データとを対応付けて、前記履歴データとして前記履歴格納部に格納する
電話装置。
【請求項２】
請求項１に記載された電話装置であって、
前記制御部は、通話内容を録音するに際し、予め設定された一定時間だけ録音する
電話装置。
【請求項３】
請求項２に記載された電話装置であって、
更に、
ユーザによって押下される録音延長スイッチ
を具備し、
前記制御部は、通話内容の録音中に前記録音延長スイッチが押下されると、時間を延長して録音する
電話装置。
【請求項４】
請求項１乃至３のいずれかに記載された電話装置であって、
更に、
通話内容の音声を認識する音声認識部、
を具備する
電話装置。
【請求項５】
請求項４に記載された電話装置であって、
更に、
前記音声認識部における認識結果をテキストデータ化するテキストデータ変換部、
を具備し、
前記制御部は、
前記音声認識部によって通話内容を認識し、
前記テキストデータ変換部により、認識した通話内容をテキストデータに変換し、
前記履歴データを前記履歴格納部に格納するに際し、変換したテキストデータを更に対応付けて格納する
電話装置。
【請求項６】
請求項４に記載された電話装置であって、
前記制御部は、通話内容の録音を開始する前に、前記音声認識部によって通話内容を認識し、通話内容の認識結果に基いて録音を開始する
電話装置。
【請求項７】
請求項１乃至６のいずれかに記載された電話装置であって、
更に、
前記履歴データに含まれる前記録音データを再生する再生処理部
を具備する
電話装置。
【請求項８】
通話装置を識別する識別情報の登録された電話帳データを提供するステップと、
相手方通話装置との通信を開始するステップと、
前記相手方通話装置の識別情報を取得するステップと、
前記電話帳データを参照して、取得した前記相手方通話装置の識別情報が前記電話帳データに登録されているかどうかを確認するステップと、
前記電話帳データに格納されていなかった場合に、通話内容を録音する録音ステップと、
前記録音ステップで録音した録音データを、前記相手方通話装置の識別情報と対応付けて履歴データを生成し、記憶する記憶ステップと、
を具備する
電話装置の動作方法。
【請求項９】
請求項８に記載された電話装置の動作方法であって、
前記録音ステップにおいて、予め設定された一定時間録音する
電話装置の動作方法。
【請求項１０】
請求項８又は９に記載された電話装置の動作方法であって、
更に、録音延長スイッチを提供するステップを備え、
前記録音ステップにおいて、前記録音延長スイッチが押下された場合、時間を延長して録音を行う
電話装置の動作方法。
【請求項１１】
請求項８乃至１０のいずれかに記載された電話装置の動作方法であって、
更に、
通話内容を音声認識する音声認識ステップ、
を具備する
電話装置の動作方法。
【請求項１２】
請求項１１に記載された電話装置の動作方法であって、
更に、
前記認識ステップにおける音声認識結果をテキストデータに変換するテキストデータ変換ステップ、
を具備し、
前記記憶ステップにおいて、変換したテキストデータを更に対応付けて、前記履歴データとして記憶する
電話装置の動作方法。
【請求項１３】
請求項１１に記載された電話装置の動作方法であって、
前記録音ステップにおいて、前記音声認識ステップにおける音声認識の結果に基いて録音を開始する
電話装置の動作方法。
【請求項１４】
請求項８乃至１３のいずれかに記載された電話装置の動作方法であって、
更に、
前記履歴データに含まれる前記録音データを再生する再生ステップ、
を具備する
電話装置の動作方法。
【請求項１５】
請求項８乃至１４のいずれかに記載された電話装置の動作方法を、コンピュータによって実現する為の、電話装置の動作プログラム。
【発明の詳細な説明】
【技術分野】
【０００１】
本発明は、電話装置に関し、特に、電話帳データの格納された電話装置、その動作方法、及びその動作プログラムに関する。
【背景技術】
【０００２】
携帯電話装置等の電話装置の多くは、電話帳機能や通話履歴記録機能を有している。こうした電話装置において、電話帳データに相手先のデータを新たに登録する場合、通話履歴に基いて行うことがある。
【０００３】
一般に、電話装置内には、通話履歴として、日付・時刻・相手方通話装置を特定する識別情報（電話番号等）、が記録される。通話履歴をもとに通話相手のデータを電話帳データに登録する場合、ユーザによって通話相手を特定する情報（氏名など）が電話装置内に入力され、電話装置内において、通話履歴データ内の識別情報などと対応付けられ、登録される。この際、ユーザは、通話履歴を表示画面上などに表示させ、通話相手が誰であったかを判断する。しかしながら、ユーザの記憶は、通話から時間が経つほど記憶が曖昧とるので、日付、時刻、識別情報からその通話相手がどこの誰であったかを特定することが困難になることがある。従って、通話から時間が経っても通話相手を特定することのできる技術が望まれていた。
【０００４】
ところで、電話装置の中には、通話内容を記録しておく機能を有するものが有る。通話内容を記録するにあたっては、通話を録音して音声データとして記録しておく技術（例えば、特許文献１）、通話内容をテキストデータ化して記録しておく技術（例えば特許文献２）等が挙げられる。こうした通話内容を記録する機能を持つ電話装置において、特許文献３は、記録した通話内容を簡単に再生、検索できる様にするための技術を開示している。この特許文献３には、録音を行う条件を設定しておき、この条件に合致する場合に音声データの記録を行うことが記載されている。また、特許文献４には、通話時に予め設定した通信相手との通話を通信相手別に録音する機能を有した携帯電話機が記載されている。
【０００５】
しかしながら、これらの何れの文献にも、通話相手のデータを通話履歴に基いて電話帳データに登録する際に、時間が経過しても通話相手が誰であったかを特定できるようにする技術は開示されていない。
【０００６】
【特許文献１】特開平１１−１９６１７７号  公報
【特許文献２】特開２００５−２１０４９７号  公報
【特許文献３】特開２００６−１９１４３６号  公報
【特許文献４】特開２００４−１８７０７２号  公報
【発明の開示】
【発明が解決しようとする課題】
【０００７】
本発明の目的は、通話から時間が経っても、通話相手が誰であったかを特定することのできる電話装置、電話装置の動作方法、及び電話装置の動作プログラムを提供することにある。
【課題を解決するための手段】
【０００８】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【０００９】
本発明の電話装置（１１）は、相手方通話装置と通信を行う電話装置（１１）である。この電話装置（１１）は、通話装置を識別する識別情報の登録された電話帳データを格納する電話帳格納部（２２）と、相手方通話装置との通話を録音する録音処理部（２０）と、履歴データを格納する履歴格納部（１６）と、制御部（２３）と、を具備する。制御部（２３）は、その相手方通話装置と通信を行うに際し、相手方通話装置の識別情報を取得する。また、電話帳格納部（２２）にアクセスして、取得した相手方通話装置の識別情報が電話帳データに登録されているかどうかを確認する。さらに、相手方電話装置の識別情報が電話帳データに登録されていなかった場合に、録音処理部（２０）により通話内容を録音すし、相手方通話装置の識別情報と録音データとを対応付けて、履歴データを生成し、履歴格納部（１６）に格納する。
【００１０】
この発明によれば、電話帳データに登録されていない通話相手との通話が録音されて記録されるので、通話から時間が経過しても通話内容を確認することができる。これにより、通話相手が誰であったかを確認することがでるので、電話帳データに通話相手のデータを間違い無く登録することができる。
【００１１】
上記の電話装置（１１）において、制御部（２３）は、通話内容を録音するに際し、予め設定された一定時間だけ録音することが好ましい。また、この電話装置（１１）は、更に、ユーザによって押下される録音延長スイッチ（２７）を具備し、制御部（２３）は、通話内容の録音中に録音延長スイッチ（２７）が押下されると、時間を延長して録音を行うことが好ましい。
【００１２】
このように、録音を一定時間だけとすることで、録音データを記憶しておくためのハードウェア資源量を節約することができる。また、録音延長スイッチを設けておくことで、ユーザが録音の長さが不十分と判断した場合等に、録音時間を延長することができる。
【００１３】
上記の電話装置（１１）は、更に、通話内容の音声を認識する音声認識部（２５）と、を具備することが好ましい。また、音声認識部（２５）における認識結果をテキストデータ化するテキストデータ変換部（２６）を具備し、制御部（２３）が、音声認識部（２５）及びテキストデータ変換部（２６）により、通話内容をテキストデータに変換し、履歴データとしてテキストデータを更に対応付けて記憶することが好ましい。また、制御部（２３）は、録音を開始する前に、音声認識部（２５）によって通話内容を認識し、通話内容の認識結果に基いて録音を開始することが好ましい。
【００１４】
このように、テキストデータ変換部（２６）を設けておけば、通話内容を確認して、電話帳に通話相手のデータを登録する際に、テキストデータをコピーして登録することも可能となり、操作性が向上する。また、音声認識部（２５）を設けておき、通話内容の認識結果に基いて録音を開始するようにすれば、通話内容のうち必要な部分のみを録音することができる。これにより、不要部分によるハードウェアの消費量を節約することができる。
【００１５】
上記の電話装置（１１）は、更に、履歴データに含まれる録音データを再生する再生処理部（２１）、を具備することが好ましい。
【００１６】
本発明にかかる電話装置の動作方法は、通話装置を識別する識別情報の登録された電話帳データを提供するステップと、相手方通話装置との通信を開始するステップ（ステップＳ１）と、相手方通話装置の識別情報を取得するステップ（ステップＳ１）と、電話帳データを参照して、取得した相手方通話装置の識別情報が電話帳データに格納されているかどうかを確認するステップ（ステップＳ２）と、電話帳データに格納されていなかった場合に、通話内容を録音する録音ステップ（ステップＳ３〜Ｓ７））と、録音ステップで録音された録音データを、相手方通話装置の識別情報と対応付けて、履歴データを生成し、記憶する記憶ステップ（ステップＳ９〜１１）と、を具備する。
【００１７】
上記の電話装置の動作方法は、録音ステップ（Ｓ３〜７）において、予め設定された一定時間録音することが好ましい。
【００１８】
上記の電話装置の動作方法において、更に、録音延長スイッチ（２７）を提供するステップを備え、録音ステップ（Ｓ３〜７）において録音延長スイッチ（２７）が押下された場合に、時間を延長して録音を行うことが好ましい。
【００１９】
上記の電話装置の動作方法は、更に、通話内容を音声認識する音声認識ステップ、を具備することが好ましい。また、この時、更に音声認識ステップにおける音声認識の結果をテキストデータに変換するテキストデータ変換ステップ、を具備し、記憶ステップ（Ｓ９〜１１）において、変換したテキストデータを履歴データに更に対応付けて、記憶することが好ましい。また、録音ステップ（ステップＳ３〜７）において、音声認識ステップにおける認識結果に基いて録音を開始することが好ましい。
【００２０】
上記の電話装置の動作方法は、更に、履歴データに含まれる録音データを再生する再生ステップ（ステップＳ２２〜Ｓ２５）、を具備することが好ましい。
【００２１】
本発明の電話装置の動作プログラムは、上記の電話装置の動作方法を、コンピュータによって実現する為のコンピュータプログラムである。
【発明の効果】
【００２２】
本発明によれば、通話から時間が経っても、通話相手を特定することのできる電話装置、電話装置の動作方法、及び電話装置の動作プログラムが提供される。
【発明を実施するための最良の形態】
【００２３】
（第１の実施形態）
以下に、図面を参照しつつ、第１の実施形態について説明する。図１は本発明に係る電話装置の回路構成の要部を示す概略ブロック図である。本実施形態において、電話装置１１は、携帯電話端末であるものとする。
【００２４】
本発明にかかる電話装置１１は、制御部２３、履歴格納部１６、表示制御部１７、表示画面１８、通信処理部１９、録音処理部２０、音声再生処理部２１、電話帳格納部２２、及び操作部２４を備えている。これらは、バス１３を介して互いに接続されている。
【００２５】
制御部２３は、この電話装置１１全体の動作を制御するためのもであり、ＣＰＵ（中央処理装置）１２、ＲＯＭ１４、ＲＡＭ１５を備えている。ＲＯＭ１４（リード・オンリ・メモリ）は、制御プログラム（電話装置の動作プログラム）を格納している。この制御プログラムは、ＣＰＵ１２によって実行されることで、その機能を実現する。また、ＲＯＭ１４には、かな文字変換等に使用される辞書等の装置内で使用する固定的なデータも格納されている。ＲＡＭ１５は、ＣＰＵ１２がプログラムを実行する上で一時的に必要とするデータを格納しておくためのランダム・アクセス・メモリである。
【００２６】
履歴格納部１６は、図２に示されるように、着信毎に、着信の日付、時刻、電話番号（識別情報）、及び録音データを対応付けて、履歴データとして格納するものであり、例えば不揮発性のメモリで構成される。尚、詳細は後述するが、録音データは、通話開始から一定時間経過までの間の通話内容を示す音声データである。
【００２７】
電話帳格納部２２は、電話番号（識別情報）に対して氏名やメールアドレスなどを対応付けた電話帳データ、を格納するものである。この電話帳格納部２２は、履歴格納部１６と同様に、例えば不揮発性のメモリで構成される。
【００２８】
操作部２４は、ユーザによる指示を受け付けるためのものであり、例えば、電話番号入力用スイッチや、通話開始スイッチ、通話終了スイッチ、カーソル移動スイッチなどを備えている。
【００２９】
表示制御部１７は、表示画面１８に表示される内容を制御する回路である。表示画面１８としては、例えば、白黒あるいはカラーの液晶パネル、有機ＥＬ（電子蛍光）等を用いることができる。
【００３０】
通信処理部１９は、無線信号の送受信を行うものであり、マイク、スピーカ、アンテナ、信号変換回路等を備えている。この通信処理部１９は、相手方の通話装置から基地局などを介して受信した無線信号を、音声に変換してスピーカなどから出力したり、ユーザがマイクなどを介して入力した音声を無線信号に変換し、アンテナなどを介して相手方の通話装置へ向けて送信する。
【００３１】
録音処理部２０は、通話内容を録音する為の制御回路である。録音処理部２０により録音された音声データは、履歴格納部１６に格納される。
【００３２】
音声再生処理部２１は、履歴格納部１６に格納された録音データを再生する制御回路である。
【００３３】
続いて、本実施形態に係る電話装置の動作方法について説明する。図３は、この電話装置の通話時における動作方法を示すフローチャートである。尚、以下に述べる動作は、特に断りの無い限り、制御部２３によって実現されるものとする。
【００３４】
着信信号が通信処理部１９を介して受信されると、制御部２３は、相手先の通話装置との通信を開始する。通常、着信時には、発信者の電話番号（識別情報）などが付与されているので、この電話番号を取得する（ステップＳ１）。
【００３５】
次ぎに、制御部２３は、電話帳格納部２２を参照して、電話帳データに取得した電話番号が登録されているかどうかを確認する（ステップＳ２）。登録されていた場合、特に何も処理をせずに次のステップＳ４へ進む。一方、登録されていなかった場合は、録音処理部２０による録音を開始し（ステップＳ３）、次のステップＳ４へと進む。
【００３６】
次に、通信処理部１９を介して通話が開始される（ステップＳ４）。通話開始から、予め定められた一定時間（例えば、２０秒）が経過すると、録音処理部２０による録音を終了する（ステップＳ５）。尚、通話を終了する際には、録音中であるか否かの判断を行う（ステップＳ６）。録音中であった場合、すなわち一定時間の経過前に通話を終了する場合には、録音を終了させてから（ステップＳ７）、通話を終了する（ステップＳ８）。通話終了時に録音中でなければ、そのまま通話を終了する（ステップＳ８）。
【００３７】
尚、録音される時間は、ユーザ設定が可能である様にしておいてもよい。電話における会話においては、冒頭に会社名や氏名を名乗るの一般的であるので、このように通話の冒頭部分を一定時間だけ録音することで、通話相手を特定することのできる通話内容を確実に録音し易くなる。
【００３８】
通話終了後、制御部３は、日付、時刻、電話番号を対応付けて、着信履歴データを生成する（ステップＳ９）。更に、通話中の会話内容を録音したかどうかを判断する（ステップＳ１０）。録音していなかった場合は、履歴格納部１６に、日付、時刻、電話番号の対応付けられた着信履歴データを格納して、処理を終了する。録音を行った場合には、日付、時刻、電話番号に対して、更に録音処理部１９の録音した録音データを対応付け、着信履歴データとして履歴格納部１６に格納し（ステップＳ１１）、処理を終了する。
【００３９】
続いて、録音データを再生する際の動作方法について説明する。図４は、録音データを再生する際の動作方法を示すフローチャートである。
【００４０】
ユーザが操作部２４を介して所定の操作を行うと、表示制御部１７が、履歴格納部１６に格納された着信履歴データの一覧を表示画面１８上に表示させる（ステップＳ２１）。ユーザが、操作部２４を介して、特定の着信履歴データを選択すると（ステップＳ２２）、制御部２３は、選択された着信履歴データに録音データが対応付けられているかどうかを判断する（ステップＳ２３）。録音データが対応付けられていた場合、表示制御部１７によって、録音データを再生するか否かの判断を促す旨を表示画面１８上に表示させる（ステップＳ２４）。ユーザが操作部２４を介して、録音データを再生する旨を入力した場合、音声再生処理部２１によって、録音データを再生する（ステップＳ２５）。これにより、ユーザは、通話内容から通話相手がどこの誰であったかを確認することができる。尚、Ｓ２３において録音データが対応付けられていなかった場合、Ｓ２４において録音データを再生しない場合には、指定された着信履歴データの詳細を表示する等の所定の処理を行い、音声データの再生に係る処理を終了する。
【００４１】
以上説明した様に、本実施形態によれば、電話帳データに登録されていない通話相手と通話した場合、自動的に通話内容が録音される。これにより、ユーザは、通話から時間が経過した場合でも、音声データを再生して通話相手が誰であったかを確認することができる。従って、電話帳データに通話相手を登録しようとする場合に、ユーザの記憶に頼らずに、確実に通話相手を特定することができる。またこのとき、電話帳に既に登録されている通話相手との会話は録音されず、かつ、録音する際にも録音される時間を通話の冒頭部分などの一定時間に限定することにより、録音データを記録するためのハードウェア消費量を必要最小限とすることができる。
【００４２】
尚、本実施形態においては、着信時の動作についてのみ説明を行ったが、発信時においても同様の動作を行う様に構成すれば、上述したのと同様の作用を得る事ができる。この場合、ステップＳ１において電話番号を取得するにあたり、通信処理部１９を介して取得するのではなく、ユーザが操作部２４を介して入力した電話番号を利用すればよい。
【００４３】
（第２の実施形態）
続いて、第２の実施形態について説明する。図５は、本実施形態に係る電話装置１１の構成を概略的に示すブロック図である。この電話装置１１は、第１の実施形態に対して、通信処理部１９を介して通信される通話内容を認識する音声認識部２５、及び通話内容をテキストデータに変換するテキストデータ変換部２６が追加されている。尚、第１の実施形態と同様の構成については、その説明を省略する。
【００４４】
本実施形態では、録音処理部２０が通話内容を録音するのに加えて、音声認識部２５が通話内容を認識する。また、テキストデータ変換部２６は、音声認識部２５によって認識された通話内容を、テキストデータに変換する。テキストデータ変換部２６によって変換されたテキストデータは、着信履歴を保存する際（図３のステップＳ１１）において、着信履歴データに対応付けられて履歴格納部１６に格納される。着信履歴データに対応付けられたテキストデータは、ユーザの操作に応じて、表示画面１８上に表示される。
【００４５】
このように、着信履歴データに通話内容のテキストデータが対応付けられていることで、電話帳データに通話相手のデータを登録する場合などに、通話内容のテキストデータをコピーしたり編集して登録することができ、便利である。
【００４６】
また、第１の実施形態では、通話開始から冒頭の所定の時間だけ録音する場合について説明したが、本実施形態では、制御部２３に、音声認識の結果に基いて録音開始のタイミングを制御させてもよい。例えば、音声認識部２５による音声認識の結果、通話開始後に無音状態の期間があれば、無音状態の期間が終わった後に、録音処理部２０による録音を開始する様にするとよい。この様にすれば、無音状態の期間だけが録音されてしまい、通話相手を特定できなくなることが防止できる。また、通話相手の特定に向かない挨拶（例；「もしもし」、「はじめまして」など）を除いて録音するようにしてもよい。この様にすれば、通話相手を特定することのできる会話内容（例；私は○○です）が録音され易くなり、通話相手の特定に向かない会話のみが録音されてしまう可能性を低くすることができる。
【００４７】
（第３の実施形態）
続いて、第３の実施形態について説明する。図６は、本実施形態に係る電話装置１１の構成を概略的に示すブロック図である。本実施形態の電話装置１は、第１の実施形態に対して、更に、録音延長スイッチ２７が追加されている。その他の構成は、第１の実施形態と同様にすることができるので、その詳細な説明は省略する。
【００４８】
録音延長スイッチ２７は、録音時間を延長したい場合に押下するためのスイッチである。録音中に、録音延長スイッチ２７が押下されると、制御部２３は録音時間を延長する。又は、録音延長スイッチ２７が押下されると、通話終了まで録音されるようにしてもよい。このように、ユーザの意思によって録音時間を延長できる様にすることで、ユーザが録音したい会話を確実に録音させることができる。例えば、挨拶に関する会話が長く、予め定められた録音時間中に通話相手を特定できるような会話がなされない場合でも、ユーザの意思により録音時間を延長し、通話相手を特定できるような会話を確実に録音することができる。
【００４９】
以上、本発明の第１〜３の実施形態について説明した。これらは、必要に応じて、矛盾のない範囲内で組み合わせて使用することもできる。例えば、第２の実施形態における音声認識機能に、第３の実施形態の録音延長スイッチ２７に関する機能を組み合わせてもよい。
【図面の簡単な説明】
【００５０】
【図１】第１の実施形態に係る電話装置の構成を示すブロック図である。
【図２】履歴データの内容を示す概念図である。
【図３】第１の実施形態に係る電話装置の通信時の動作方法を示すフローチャートである。
【図４】第１の実施形態に係る電話装置の再生時の動作方法を示すフローチャートである。
【図５】第２の実施形態に係る電話装置の構成を示すブロック図である。
【図６】第３の実施形態に係る電話装置の構成を示すブロック図である。
【符号の説明】
【００５１】
１１    電話装置
１２    ＣＰＵ
１３    バス
１４    ＲＯＭ
１５    ＲＡＭ
１６    履歴格納部
１７    表示制御部
１８    表示画面
１９    通信処理部
２０    録音処理部
２１    再生処理部
２２    電話帳格納部
２３    制御部
２４    操作部
２５    音声認識部
２６    テキストデータ変換部
２７    録音延長スイッチ
【図１】
2008252742.tif 000003
【図２】
2008252742.tif 000004
【図３】
2008252742.tif 000005
【図４】
2008252742.tif 000006
【図５】
2008252742.tif 000007
【図６】
2008252742.tif 000008